(57)【要約】      （修正有）【課題】被処理基体に対するダメージを低減でき、且つ、エッチング量の制御性に優れたＡＬＥ法に基づくエッチング方法、および、プラズマエッチング装置を提供する。【解決手段】被処理基体をエッチングする方法は、（ａ１）被処理基体を収容した処理容器内にエッチャントガスを供給する工程Ｓ１と、（ｂ１）処理容器内を排気する工程Ｓ２と、（ｃ１）処理容器内に希ガスを供給する工程Ｓ３と、（ｄ１）処理容器内にマイクロ波を供給して処理容器内において希ガスのプラズマを励起する工程Ｓ４と、を含む。エッチャントガスを供給する工程、排気する工程、希ガスを供給する工程、及び希ガスのプラズマを励起する工程を含む一連の工程が繰り返されてもよい。【選択図】図３
2013235912.tif 000002
【特許請求の範囲】
【請求項１】
被処理基体をエッチングする方法であって、
被処理基体を収容した処理容器内にエッチャントガスを供給する工程と、
前記処理容器内を排気する工程と、
前記処理容器内に希ガスを供給する工程と、
前記処理容器内にマイクロ波を供給して該処理容器内において前記希ガスのプラズマを励起する工程と、
を含む方法。
【請求項２】
前記エッチャントガスを供給する工程、前記排気する工程、前記希ガスを供給する工程、及び前記希ガスのプラズマを励起する工程を含む一連の工程が繰り返される、請求項１に記載の方法。
【請求項３】
前記被処理基体は多結晶シリコン層を有し、前記エッチャントガスは、Ｃｌ２ガスである、請求項１又は２に記載の方法。
【請求項４】
処理容器と、
前記処理容器内にエッチャントガスを供給する第１の供給部と、
前記処理容器内を排気する排気部と、
前記処理容器内に希ガスを供給する第２の供給部と、
前記処理容器内にマイクロ波を供給するマイクロ波供給部と、
前記処理容器内にエッチャントガスを供給し、次いで、前記処理容器内を排気し、次いで、前記処理容器内に希ガスを供給し、その後に、前記処理容器内にマイクロ波を供給して前記希ガスのプラズマを励起するよう、前記第１の供給部、前記排気部、前記第２の供給部、及び前記マイクロ波供給部を制御する制御部と、
を備えるプラズマエッチング装置。
【請求項５】
前記制御部は、前記処理容器内にエッチャントガスを供給し、次いで、前記処理容器内を排気し、次いで、前記処理容器内に希ガスを供給し、その後に、前記処理容器内にマイクロ波を供給して前記希ガスのプラズマを励起する一連の処理を繰り返すよう、前記第１の供給部、前記排気部、前記第２の供給部、及び前記マイクロ波供給部を制御する、請求項４に記載のプラズマエッチング装置。
【請求項６】
前記第１の供給部は、前記エッチャントガスとして、Ｃｌ２ガスを供給する、請求項４又は５に記載のプラズマエッチング装置。
【請求項７】
被処理基体をエッチングする方法であって、
被処理基体を収容した処理容器内に希ガスを供給し、マイクロ波を供給して、プラズマを励起する工程と、
前記プラズマを励起している期間において、前記被処理基体を収容した前記処理容器内に対するエッチャントガスの供給量を交互に増減させる工程と、
を含む方法。
【請求項８】
前記エッチャントガスの供給量を交互に増減させる工程においては、該エッチャントガスの供給と該エッチャントガスの供給停止を交互に切り替える、請求項７に記載の方法。
【請求項９】
前記被処理基体は多結晶シリコンと窒化シリコンとを含み、
前記エッチャントガスは、ＣＨ３Ｆガスを含む、
請求項７又は８に記載の方法。
【請求項１０】
処理容器と、
前記処理容器内にエッチャントガスを供給する第１の供給部と、
前記処理容器内に希ガスを供給する第２の供給部と、
前記処理容器内にマイクロ波を供給するマイクロ波供給部と、
前記処理容器内に希ガスを供給し、マイクロ波を供給して、プラズマを励起している期間において、前記処理容器内に対する前記エッチャントガスの供給量を交互に増減させるよう、前記第１の供給部、前記第２の供給部、及び前記マイクロ波供給部を制御する制御部と、
を備えるプラズマエッチング装置。
【請求項１１】
前記制御部は、前記エッチャントガスの供給と該エッチャントガスの供給停止を交互に切り替える、請求項１０に記載のプラズマエッチング装置。
【請求項１２】
前記第１の供給部は、前記エッチャントガスとしてＣＨ３Ｆガスを含むガスを供給する、請求項１０又は１１に記載のプラズマエッチング装置。
【発明の詳細な説明】
【技術分野】
【０００１】
本発明の実施形態は、被処理基体をエッチングする方法、及びプラズマエッチング装置に関するものである。
【背景技術】
【０００２】
半導体装置の製造においては、被処理基体に微細なパターンを形成するために、被処理基体に対する成膜、及びエッチングといった種々の処理が行われる。このように被処理基体に形成されるパターンは、益々微細化される傾向にあり、これに伴って、エッチングでは、数ｎｍオーダー以下のエッチング量の制御が要求されるようになっている。
【０００３】
このようなエッチング量の制御を実施するための技術として、ＡＬＥ（Ａｔｏｍｉｃ  Ｌａｙｅｒ  Ｅｔｃｈｉｎｇ）法が注目されている。ＡＬＥ法は、エッチャントガスを被処理基体に吸着させ、その後にＡｒガスといった不活性ガスのプラズマを生成することにより、被処理基体を原子層レベルでエッチングする技術である。このようなＡＬＥ法に基づく技術については、例えば、特許文献１に記載されている。
【先行技術文献】
【特許文献】
【０００４】
【特許文献１】米国特許出願公開第２０１２／００４８８３１号明細書
【発明の概要】
【発明が解決しようとする課題】
【０００５】
特許文献１に記載されている技術では、平行平板型のプラズマエッチング装置を用いてＡＬＥ法が実施されている。しかしながら、平行平板型のプラズマエッチング装置を用いたＡＬＥ法では、エッチング量の制御を精度良く実施することができなく、また、被処理基体にダメージが加わることがある。
【０００６】
したがって、本技術分野においては、被処理基体に対するダメージを低減でき、且つ、エッチング量の制御性に優れたＡＬＥ法に基づくエッチング方法が要請されている。
【課題を解決するための手段】
【０００７】
本発明の一側面は、被処理基体をエッチングする方法に関する。この方法は、（ａ１）被処理基体を収容した処理容器内にエッチャントガスを供給する工程と、（ｂ１）処理容器内を排気する工程と、（ｃ１）処理容器内に希ガスを供給する工程と、（ｄ１）処理容器内にマイクロ波を供給して処理容器内において希ガスのプラズマを励起する工程と、を含む。一実施形態においては、エッチャントガスを供給する工程、排気する工程、希ガスを供給する工程、及び希ガスのプラズマを励起する工程を含む一連の工程が繰り返されてもよい。
【０００８】
ここで、平行平板型のプラズマエッチング装置では、その処理容器内におけるプラズマの電子温度は、２〜３ｅＶより大きくなる。このような電子温度のプラズマは、被処理基体に吸着されたエッチャントガスと被処理基体との結合を切断させ得る。これにより、平行平板型のプラズマエッチング装置を用いたＡＬＥ法では、エッチング量の制御が困難になるものと推測される。また、このように高い電子温度のプラズマ中では、被処理基体にダメージが加わり得る。
【０００９】
一方、本発明の一側面に係る方法では、プラズマの励起にマイクロ波を用いている。マイクロ波を用いて励起されたプラズマの電子温度は、相当に低く、例えば、１〜２ｅＶである。このような低電子温度のプラズマは、被処理基体に化学吸着したエッチャントガスと当該被処理基体との結合の切断するエネルギーを有していない。本方法では、希ガスの活性化によって発生する熱によって、エッチャントガスと結合を形成している被処理基体の構成原子を、当該結合を切断することなく、当該被処理基体から分離させることができる。このように、本方法は、エッチャントガスと被処理基体の構成原子との結合を切断しないので、エッチング量の制御性に優れる。また、本方法によれば、平行平板型のプラズマエッチング装置で励起されるプラズマよりも低い電子温度のプラズマが励起されるので、被処理基体に対するダメージも低減され得る。
【００１０】
一実施形態においては、被処理基体は多結晶シリコン層を有しており、この場合には、エッチャントガスはＣｌ２ガスであってもよい。この実施形態では、Ｃｌ２ガスが多結晶シリコン中のシリコンに化学吸着する。塩素とシリコンの結合エネルギーは、多結晶シリコン層中のシリコン同士の結合エネルギーより高く、したがって、この実施形態によれば、希ガスの活性化により発生した熱により、Ｃｌ（塩素）と結合を形成しているシリコンを、当該結合を切断することなく、多結晶シリコン層から分離することが可能となる。
【００１１】
また、本発明の別の側面に係るプラズマエッチング装置は、処理容器、第１の供給部、排気部、第２の供給部、マイクロ波供給部、及び、制御部を備える。第１の供給部は、処理容器内にエッチャントガスを供給する。排気部は、処理容器内を排気する。第２の供給部は、処理容器内に希ガスを供給する。マイクロ波供給部は、処理容器内にマイクロ波を供給する。制御部は、（ａ１）処理容器内にエッチャントガスを供給し、（ｂ１）次いで、処理容器内を排気し、（ｃ１）次いで、処理容器内に希ガスを供給し、（ｄ１）その後に、処理容器内にマイクロ波を供給して希ガスのプラズマを励起するよう、第１の供給部、排気部、第２の供給部、及びマイクロ波供給部を制御する。このプラズマエッチング装置は、プラズマの励起にマイクロ波を用いる上述した被処理基体をエッチングする方法の実施に用いることができる。一実施形態においては、制御部は、上述した（ａ１）〜（ｄ１）の処理を含む一連の処理を繰り返すよう、第１の供給部、排気部、第２の供給部、及びマイクロ波供給部を制御し得る。
【００１２】
また、一実施形態においては、第１の供給部は、エッチャントガスとして、Ｃｌ２ガスを供給してもよい。このようなエッチャントガスが供給される場合には、被処理基体として多結晶シリコン層を有する被処理基体をエッチングすることが可能である。
【００１３】
また、本発明の更に別の側面は、被処理基体をエッチングする方法に関する。この方法は、（ａ２）被処理基体を収容した処理容器内に希ガスを供給し、マイクロ波を供給して、プラズマを励起する工程と、（ｂ２）プラズマを励起している期間において、前記被処理基体を収容した処理容器内に対するエッチャントガスの供給量を交互に増減させる工程と、を含む。一実施形態においては、エッチャントガスの供給量を交互に増減させる工程においては、エッチャントガスの供給と当該エッチャントガスの供給停止を交互に切り替えてもよい。
【００１４】
この方法では、エッチャントガスの供給量を増減させる各サイクルのエッチングレートを比較的小さいエッチングレートに制御することができる。そして、当該サイクルの実施回数を調整することにより、エッチング量を制御することができる。したがって、本方法は、エッチング量の制御性に優れる。
【００１５】
一実施形態では、被処理基体は多結晶シリコンと窒化シリコンとを含み、この場合に、エッチャントガスは、ＣＨ３Ｆガスを含んでいてもよい。この実施形態によれば、多結晶シリコンに対して窒化シリコンを選択的にエッチングすることが可能となる。
【００１６】
また、本発明の更に別の側面に係るプラズマエッチング装置は、処理容器、第１の供給部、第２の供給部、マイクロ波供給部、及び制御部を備えている。第１の供給部は、処理容器内にエッチャントガスを供給する。第２の供給部は、処理容器内に希ガスを供給する。マイクロ波供給部は、処理容器内にマイクロ波を供給する。制御部は、（ａ２）マイクロ波を供給して、（ｂ２）プラズマを励起している期間において、処理容器内に対するエッチャントガスの供給量を交互に増減させるよう、第１の供給部、第２の供給部、及びマイクロ波供給部を制御する。このプラズマエッチング装置は、プラズマの励起にマイクロ波を用いる上述した工程（ａ２）〜（ｂ２）を含む方法の実施に用いることができる。一実施形態においては、制御部は、エッチャントガスの供給量の増減のために、エッチャントガスの供給と当該エッチャントガスの供給停止を交互に切り替えてもよい。
【００１７】
一実施形態においては、第１の供給部は、エッチャントガスとしてＣＨ３Ｆガスを含むガスを供給してもよい。この実施形態の装置は、多結晶シリコンと窒化シリコンを含む被処理基体のエッチングに用いることができ、この被処理基体の窒化シリコンを選択的にエッチングすることが可能である。
【発明の効果】
【００１８】
以上説明したように、本発明の種々の側面及び実施形態によれば、被処理基体に対するダメージを低減でき、且つ、エッチング量の制御性に優れたＡＬＥ法に基づくエッチング方法が提供され、また、同方法の実施に用いることができるプラズマエッチング装置が提供される。
【図面の簡単な説明】
【００１９】
【図１】一実施形態に係るプラズマエッチング装置を概略的に示す断面図である。
【図２】一実施形態に係るスロット板を示す平面図である。
【図３】一実施形態に係るエッチング方法を示す流れ図である。
【図４】図３に示すエッチング方法の原理を説明するための図である。
【図５】実験例１の結果を示す図である。
【図６】実験例２及び３の結果を示す図である。
【図７】別の実施形態に係るプラズマエッチング装置を概略的に示す断面図である。
【図８】別の実施形態に係るエッチング方法を示すタイミングチャートである。
【図９】実験例４及び５の結果を示す図である。
【図１０】実験例６及び７の結果を示す図である。
【図１１】更に別の実施形態に係るプラズマエッチング装置を概略的に示す断面図である。
【発明を実施するための形態】
【００２０】
以下、図面を参照して種々の実施形態について詳細に説明する。なお、各図面において同一又は相当の部分に対しては同一の符号を附すこととする。
【００２１】
まず、一実施形態に係るエッチング方法を実施し得るプラズマエッチング装置について説明する。図１は、一実施形態に係るプラズマエッチング装置を概略的に示す断面図である。図１に示すプラズマエッチング装置１０は、処理容器１２を備えている。
【００２２】
処理容器１２は、被処理基体Ｗを収容するための処理空間Ｓを画成している。処理容器１２は、側壁１２ａ、底部１２ｂ、及び、天部１２ｃを含み得る。側壁１２ａは、軸線Ｘが延びる方向（以下、「軸線Ｘ方向」という）に延在する略筒形状を有している。底部１２ｂは、側壁１２ａの下端側に設けられている。底部１２ｂには、排気用の排気孔１２ｈが設けられている。側壁１２ａの上端部は開口している。側壁１２ａの上端部開口は、誘電体窓１８によって閉じられている。誘電体窓１８は、側壁１２ａの上端部と天部１２ｃとの間に狭持されている。この誘電体窓１８と側壁１２ａの上端部との間には封止部材２６が介在していてもよい。封止部材２６は、例えばＯリングであり、処理容器１２の密閉に寄与する。
【００２３】
プラズマエッチング装置１０は、処理容器１２内に設けられたステージ２０を更に備えている。ステージ２０は、誘電体窓１８の下方に設けられている。一実施形態においては、ステージ２０は、台２０ａ、及び、静電チャック２０ｂを含んでいる。
【００２４】
台２０ａは、筒状支持部４６に支持されている。筒状支持部４６は、絶縁性の材料で構成されており、底部１２ｂから垂直上方に延びている。また、筒状支持部４６の外周には、導電性の筒状支持部４８が設けられている。筒状支持部４８は、筒状支持部４６の外周に沿って処理容器１２の底部１２ｂから垂直上方に延びている。この筒状支持部４８と側壁１２ａとの間には、環状の排気路５０が形成されている。
【００２５】
排気路５０の上部には、複数の貫通孔が設けられた環状のバッフル板５２が取り付けられている。排気路５０は、排気孔１２ｈを提供する排気管５４に接続しており、当該排気管５４には、圧力調整器５６ａを介して排気装置５６ｂが接続されている。排気装置５６ｂは、ターボ分子ポンプなどの真空ポンプを有している。圧力調整器５６ａは、排気装置５６ｂの排気量を調整して、処理容器１２内の圧力を調整する。これら圧力調整器５６ａ及び排気装置５６ｂにより、処理容器１２内の処理空間Ｓを所望の真空度まで減圧することができる。また、排気装置５６ｂを動作させることにより、ステージ２０の外周から排気路５０を介して処理ガスを排気することができる。
【００２６】
台２０ａは、高周波電極を兼ねている。台２０ａには、マッチングユニット６０及び給電棒６２を介して、ＲＦバイアス用の高周波電源５８が電気的に接続されている。高周波電源５８は、被処理基体Ｗに引き込むイオンのエネルギーを制御するのに適した一定の周波数、例えば、１３．６５ＭＨｚの高周波電力を所定のパワーで出力する。マッチングユニット６０は、高周波電源５８側のインピーダンスと、主に電極、プラズマ、処理容器１２といった負荷側のインピーダンスとの間で整合をとるための整合器を収容している。この整合器の中に自己バイアス生成用のブロッキングコンデンサが含まれている。
【００２７】
台２０ａの上面には、静電チャック２０ｂが設けられている。一実施形態においては、静電チャック２０ｂの上面は、被処理基体Ｗを載置するための載置領域を構成している。この静電チャック２０ｂは、被処理基体Ｗを静電吸着力で保持する。静電チャック２０ｂの径方向外側には、被処理基体Ｗの周囲を環状に囲むフォーカスリングＦが設けられている。静電チャック２０ｂは、電極２０ｄ、絶縁膜２０ｅ、及び、絶縁膜２０ｆを含んでいる。電極２０ｄは、導電膜によって構成されており、絶縁膜２０ｅと絶縁膜２０ｆの間に設けられている。電極２０ｄには、高圧の直流電源６４がスイッチ６６及び被覆線６８を介して電気的に接続されている。静電チャック２０ｂは、直流電源６４から印加される直流電圧により発生するクーロン力によって、その上面に被処理基体Ｗを吸着保持することができる。
【００２８】
台２０ａの内部には、周方向に延びる環状の冷媒室２０ｇが設けられている。この冷媒室２０ｇには、チラーユニットから配管７０，７２を介して所定の温度の冷媒、例えば、冷却水が循環供給される。静電チャック２０ｂ上の被処理基体Ｗの処理温度は、冷媒の温度によって制御され得る。さらに、伝熱ガス供給部からの伝熱ガス、例えば、Ｈｅガスがガス供給管７４を介して静電チャック２０ｂの上面と被処理基体Ｗの裏面との間に供給される。
【００２９】
一実施形態においては、プラズマエッチング装置１０は、温度制御機構として、ヒータＨＴ、ＨＳ、ＨＣＳ、及び、ＨＥＳを更に備え得る。ヒータＨＴは、天部１２ｃ内に設けられており、アンテナ１４を囲むように、環状に延在している。また、ヒータＨＳは、側壁１２ａ内に設けられており、環状に延在している。ヒータＨＳは、例えば、処理空間Ｓの高さ方向（即ち、軸線Ｘ方向）の中間に対応する位置に設けられ得る。ヒータＨＣＳは、台２０ａ内に設けられている。ヒータＨＣＳは、台２０ａ内において、上述した載置領域の中央部分の下方、即ち軸線Ｘに交差する領域に設けられている。また、ヒータＨＥＳは、台２０ａ内に設けられており、ヒータＨＥＳを囲むように環状に延在している。ヒータＨＥＳは、上述した載置領域の外縁部分の下方に設けられている。
【００３０】
また、プラズマエッチング装置１０は、アンテナ１４、同軸導波管１６、誘電体窓１８、マイクロ波発生器２８、チューナ３０、導波管３２、及び、モード変換器３４を更に備え得る。マイクロ波発生器２８は、例えば２．４５ＧＨｚの周波数のマイクロ波を発生する。マイクロ波発生器２８は、チューナ３０、導波管３２、及びモード変換器３４を介して、同軸導波管１６の上部に接続されている。同軸導波管１６は、その中心軸線である軸線Ｘに沿って延在している。同軸導波管１６は、外側導体１６ａ及び内側導体１６ｂを含んでいる。外側導体１６ａは、軸線Ｘ方向に延びる筒形状を有している。外側導体１６ａの下端は、導電性の表面を有する冷却ジャケット３６の上部に電気的に接続され得る。内側導体１６ｂは、外側導体１６ａの内側に設けられている。内側導体１６ｂは、軸線Ｘに沿って延びている。内側導体１６ｂの下端は、アンテナ１４のスロット板４０に接続している。
【００３１】
一実施形態においては、アンテナ１４は、天部１２ｃに形成された開口内に配置されて得る。このアンテナ１４は、誘電体板３８及びスロット板４０を含んでいる。誘電体板３８は、マイクロ波の波長を短縮させるものであり、略円板形状を有している。誘電体板３８は、例えば、石英又はアルミナから構成される。誘電体板３８は、スロット板４０と冷却ジャケット３６の下面の間に狭持されている。アンテナ１４は、したがって、誘電体板３８、スロット板４０、及び、冷却ジャケット３６の下面によって構成され得る。
【００３２】
スロット板４０は、複数のスロット対が形成された略円板状の金属板である。一実施形態においては、アンテナ１４は、ラジアルラインスロットアンテナであり得る。図２は、図１に示すスロット板の一例を示す平面図である。スロット板４０には、複数のスロット対４０ａが形成されている。複数のスロット対４０ａは、径方向に所定の間隔で設けられており、また、周方向に所定の間隔で配置されている。複数のスロット対４０ａの各々は、二つのスロット孔４０ｂ及び４０ｃを含んでいる。スロット孔４０ｂとスロット孔４０ｃは、互いに交差又は直交する方向に延在している。
【００３３】
図１を再び参照する。プラズマエッチング装置１０では、マイクロ波発生器２８により発生されたマイクロ波が、同軸導波管１６を通って、誘電体板３８に伝播され、スロット板４０のスロット孔から誘電体窓１８に与えられる。
【００３４】
誘電体窓１８は、略円板形状を有しており、例えば、石英又はアルミナから構成されている。誘電体窓１８は、スロット板４０の直下に設けられている。誘電体窓１８は、アンテナ１４から受けたマイクロ波を透過して、当該マイクロ波を処理空間Ｓに導入する。これにより、誘電体窓１８の直下に電界が発生し、処理空間内にプラズマが発生する。このように、プラズマエッチング装置１０によれば、磁場を加えずにマイクロ波を用いてプラズマを発生させることが可能である。
【００３５】
一実施形態においては、誘電体窓１８の下面は、凹部１８ａを画成し得る。凹部１８ａは、軸線Ｘ周りに環状に設けられており、テーパ形状を有している。この凹部１８ａは、導入されたマイクロ波による定在波の発生を促進するために設けられており、マイクロ波によるプラズマを効率的に生成することに寄与し得る。なお、アンテナ１４、誘電体窓１８、同軸導波管１６、マイクロ波発生器２８、チューナ３０、導波管３２、及び、モード変換器３４は、一実施形態に係るマイクロ波供給部を構成している。
【００３６】
また、プラズマエッチング装置１０は、導入部２４、及びガス供給系ＧＳを更に備えている。導入部２４は、環状管２４ａ及び配管２４ｂを含んでいる。環状管２４ａは、処理空間Ｓの軸線Ｘ方向の中間位置において軸線Ｘ中心に環状に延在するよう、処理容器１２内に設けられている。この環状管２４ａには、軸線Ｘに向けて開口された複数のガス噴射孔２４ｈが形成されている。これら複数のガス噴射孔２４ｈは、軸線Ｘ中心に環状に配列されている。この環状管２４ａには配管２４ｂが接続しており、当該配管２４ｂは処理容器１２の外部まで延びている。かかる導入部２４は、配管２４ｂ、環状管２４ａ、及びガス噴射孔２４ｈを介して、処理ガスを軸線Ｘに向けて処理空間Ｓ内に導入する。
【００３７】
ガス供給系ＧＳは、ガス供給源ＧＳ１、及び、ガス供給源ＧＳ２を含んでいる。ガス供給源ＧＳ１及びガス供給源ＧＳ２は、導入部２４にガスを供給する。ガス供給源ＧＳ１は、ガス源８０ａ、バルブ８０ｂ、及びマスフローコントローラ８０ｃを含んでいる。ガス源８０ａは、エッチャントガスのガス源であり、一実施形態では、Ｃｌ２ガスのガス源である。ガス源８０ａは、バルブ８０ｂ及びマスフローコントローラ８０ｃを介して導入部２４に接続されている。なお、導入部２４及びガス供給源ＧＳ１は、一実施形態の第１の供給部を構成している。
【００３８】
ガス供給源ＧＳ２は、ガス源８２ａ、バルブ８２ｂ、及びマスフローコントローラ８２ｃを含んでいる。ガス源８２ａは、希ガスのガス源であり、一実施形態では、Ａｒガスのガス源である。ガス源８２ａは、バルブ８２ｂ及びマスフローコントローラ８２ｃを介して導入部２４に接続されている。なお、導入部２４及びガス供給源ＧＳ２は、一実施形態の第２の供給部を構成している。
【００３９】
また、図１に示すように、プラズマエッチング装置１０は、制御部Ｃｏｎｔを更に備え得る。制御部Ｃｏｎｔは、プログラム可能なコンピュータ装置といった制御器であり得る。制御部Ｃｏｎｔは、マスフローコントローラ８０ｃ及び８２ｃに制御信号を送出して、ガス源８０ａ及び８２ａからのガスの流量を制御することができる。また、制御部Ｃｏｎｔは、バルブ８０ｂ及び８２ｂに制御信号を送出して、これらバルブの開閉を制御することができる。また、制御部Ｃｏｎｔは、マイクロ波のパワー、ＲＦバイアスのパワー及びＯＮ／ＯＦＦ、並びに、処理容器１２内の圧力を制御するよう、マイクロ波発生器２８、高周波電源５８、圧力調整器５６ａに制御信号を供給し得る。
【００４０】
また、制御部Ｃｏｎｔは、ガス供給源ＧＳ１にエッチャントガスを処理容器１２内に供給させ、次いで、排気装置５６ｂに処理容器１２内を排気させ、次いで、ガス供給源ＧＳ２に希ガスを処理容器１２内に供給させ、次いで、処理容器１２内に希ガスのプラズマを励起するようマイクロ波発生器２８にマイクロ波を発生させ、その後に、排気装置５６ｂに処理容器１２内を排気させる。制御部Ｃｏｎｔは、かかる一連の制御を所定回数繰り返すことができる。これにより、プラズマエッチング装置１０は、被処理基体Ｗに対するＡＬＥ（Ａｔｏｍｉｃ  Ｌａｙｅｒ  Ｅｔｃｈｉｎｇ）を実施することができる。
【００４１】
以下、図３及び図４を参照し、プラズマエッチング装置１０を用いて実施することができるエッチング方法について説明する。図３は、一実施形態に係るエッチング方法を示す流れ図である。また、図４は、図３に示すエッチング方法の概念を説明するための図である。
【００４２】
図３に示すように、一実施形態に係るエッチング方法では、工程Ｓ１において、被処理基体Ｗがステージ２０上に載置されている状態で、処理容器１２内にエッチャントガスが供給される。図４の（ａ）に示すように、例えば、被処理基体Ｗは、被エッチング層Ｌ１０として多結晶シリコン層を含むことができ、エッチャントガスとしては、Ｃｌ２ガスを供給することができる。なお、図４においては、「Ｓｉ」との表記を囲む円は、Ｓｉ原子を示しており、「Ｃｌ」との表記を囲む円は、Ｃｌ２ガスの分子を示している。この工程Ｓ１により、エッチャントガスが被処理基体Ｗの表面に吸着する。
【００４３】
次いで、本方法では、工程Ｓ２においては、処理容器１２内の排気が実施される。この工程Ｓ２により、図４の（ｂ）に示すように、被処理基体Ｗの表面の原子に化学吸着したエッチャントガスが残され、被処理基体Ｗに過剰に吸着していたエッチャントガス及び処理空間Ｓ内のエッチャントガスが、処理容器１２内から除去される。
【００４４】
次いで、本方法では、工程Ｓ３において、処理容器１２内に希ガスが供給される。図４の（ｃ）に示すように、希ガスとしては、例えば、Ａｒガスが用いられ得る。なお、図４において、「Ａｒ」との表記を囲む円は、Ａｒ原子を示している。次いで、本方法では、工程Ｓ４において、マイクロ波が処理容器１２内に供給されることにより、希ガスのプラズマが励起される。この工程Ｓ４により、図４の（ｄ）に示すように、塩素と結合を形成している被処理基体Ｗの表面の原子が、当該被処理基体Ｗから離脱する。
【００４５】
次いで、本方法では、工程Ｓ５において、図４の（ｅ）に示すように、処理容器１２内の排気が実施される。本方法は、以上の工程Ｓ１〜工程Ｓ５を含む一連の処理を所定回数実施することができる。そして、工程Ｓ６において、一連の処理を終了すべきと判断される場合、例えば、当該一連の処理が所定回数実施されたと判断される場合には、本方法は終了する。
【００４６】
以上説明したエッチング方法では、エッチャントガスを被処理基体Ｗの表面に化学吸着させて処理容器１２内を排気した後、希ガスのプラズマをマイクロ波を用いて励起している。かかるプラズマの電子温度は、平行平板型のプラズマエッチング装置において発生するプラズマの電子温度よりも低く、例えば、１〜２ｅＶである。このような低電子温度のプラズマは、被処理基体Ｗの表面の原子とエッチャントガスの構成分子又は原子との間の結合を切断するエネルギーを有していない。本方法では、希ガスの活性化によって発生する熱によって、エッチャントガスの構成原子又は分子と結合を形成している被処理基体Ｗの構成原子を、当該結合を切断することなく、当該被処理基体Ｗから分離させる。
【００４７】
例えば、被処理基体Ｗが多結晶シリコン層を被エッチング層Ｌ１０として有しており、エッチャントガスとしてＣｌ２ガスが供給される場合には、本方法によって励起されるプラズマは、被エッチング層Ｌ１０のＳｉ原子と塩素分子又は原子との結合を切断するエネルギーを有していない。本方法は、Ａｒガスといった希ガスの活性化によって発生する熱によって、塩素分子又は原子分子と結合を形成している被エッチング層Ｌ１０のＳｉ原子を、当該結合を切断することなく、当該被処理基体Ｗから分離させる。
【００４８】
このように、本方法は、エッチャントガスの構成分子又は原子と結合を形成している被処理基体Ｗの構成原子を、当該結合を切断することなく、被処理基体Ｗから離脱させることができるので、エッチング量の制御性に優れている。
【００４９】
以下、プラズマエッチング装置１０を用いたエッチングの実験例について説明する。
【００５０】
（実験例１）
【００５１】
実験例１では、プラズマエッチング装置１０を用いて、直径３００ｍｍの被処理基体Ｗの多結晶シリコン層を被エッチング層Ｌ１０としてエッチングした。実験例１の条件は以下の通りである。
・工程Ｓ１、工程Ｓ３〜Ｓ４における処理容器１２内圧力：１００ｍＴｏｒｒ（１３．３３Ｐａ）
・工程Ｓ４におけるマイクロ波パワー：１０００Ｗ
・工程Ｓ４におけるＲＦバイアスのパワー：０Ｗ
・工程Ｓ１のエッチャントガス（Ｃｌ２ガス）の流量：：２００ｓｃｃｍ
・工程Ｓ３及びＳ４における希ガス（Ａｒガス）の流量：１０００ｓｃｃｍ
・工程Ｓ１の処理時間：３０秒
・工程Ｓ４の処理時間：３０秒
・工程Ｓ１〜工程Ｓ５の繰り返し回数：４０回
【００５２】
実験例１では、上述の条件下でのエッチングによる被エッチング層Ｌ１０のエッチング深さを、４５度間隔で被処理基体Ｗの中心を通過するＸ，Ｖ，Ｙ，Ｗ軸（図５の（ｂ）を参照）のそれぞれにおいて測定した。その結果を図５の（ａ）に示す。図５の（ａ）では、横軸は被処理基体の中心からの距離を示しており、縦軸はエッチング深さを示している。図５の（ａ）を参照すれば明らかなように、プラズマエッチング装置１０を用いて上述したＡＬＥ法を実施することにより、多結晶シリコン層をエッチングできることが確認された。また、実験例１では、工程Ｓ１〜工程Ｓ５を含む１回のサイクルでのエッチング深さは平均で０．０４３２ｎｍであった。このことから、プラズマエッチング装置１０を用いて上述したＡＬＥ法を実施することにより、多結晶シリコン層のエッチング量を精度良く制御できることが確認された。
【００５３】
（実験例２及び３）
【００５４】
実験例２においては、プラズマエッチング装置１０を用い、工程Ｓ１の処理時間を可変のパラメータとして、直径３００ｍｍの被処理基体Ｗの多結晶シリコン層を被エッチング層Ｌ１０としてエッチングした。実験例２の条件は以下の通りである。
・工程Ｓ１、工程Ｓ３〜Ｓ４における処理容器１２内圧力：１００ｍＴｏｒｒ（１３．３３Ｐａ）
・工程Ｓ４におけるマイクロ波パワー：１０００Ｗ
・工程Ｓ４におけるＲＦバイアスのパワー：０Ｗ
・工程Ｓ１におけるエッチャントガス（Ｃｌ２ガス）の流量：：２００ｓｃｃｍ
・工程Ｓ３及びＳ４における希ガス（Ａｒガス）の流量：１０００ｓｃｃｍ
・工程Ｓ４の処理時間：６０秒
・工程Ｓ１〜工程Ｓ５の繰り返し回数：４０回
【００５５】
実験例３においては、プラズマエッチング装置１０を用い、工程Ｓ４の処理時間を可変のパラメータとして、直径３００ｍｍの被処理基体Ｗの多結晶シリコン層を被エッチング層Ｌ１０としてエッチングした。実験例３の条件は以下の通りである。
・工程Ｓ１、工程Ｓ３〜Ｓ４における処理容器１２内圧力：１００ｍＴｏｒｒ（１３．３３Ｐａ）
・工程Ｓ４におけるマイクロ波パワー：１０００Ｗ
・工程Ｓ４におけるＲＦバイアスのパワー：０Ｗ
・工程Ｓ１におけるエッチャントガス（Ｃｌ２ガス）の流量：：２００ｓｃｃｍ
・工程Ｓ３及びＳ４における希ガス（Ａｒガス）の流量：１０００ｓｃｃｍ
・工程Ｓ１の処理時間：６０秒
・工程Ｓ１〜工程Ｓ５の繰り返し回数：４０回
【００５６】
実験例２及び３のそれぞれでは、被エッチング層Ｌ１０のエッチング深さから、工程Ｓ１〜工程Ｓ５を含む１回のサイクルにおけるエッチングレートを算出した。これら実験例２及び実験例３それぞれで得られたエッチングレートを図６の（ａ）及び（ｂ）に示す。図６の（ａ）に示すグラフの横軸は、工程Ｓ１、即ち、Ｃｌ２ガスに被処理基体Ｗを晒した時間を示しており、縦軸は１サイクルあたりのエッチングレートを示している。また、図６の（ｂ）に示すグラフの横軸は、工程Ｓ４、即ち、Ａｒプラズマに被処理基体Ｗを晒した時間を示しており、縦軸は１サイクルあたりのエッチングレートを示している。
【００５７】
図６の（ａ）を参照すれば明らかなように、実験例２によれば、工程Ｓ１の処理時間が一定時間以上になると、被エッチング層Ｌ１０のエッチングレートが飽和していることが確認された。また、図６の（ｂ）を参照すれば明らかなように、実験例３によれば、工程Ｓ４の処理時間が一定時間以上になると、被エッチング層Ｌ１０のエッチングレートが飽和していることが確認された。このことから、プラズマエッチング装置１０を用いたエッチング方法では、工程Ｓ１の処理時間と工程Ｓ４の処理時間の増加に対するエッチングレートの増加にセルフリミットが存在することが確認された。即ち、実験例２及び実験例３の結果から、プラズマエッチング装置１０を用いて実施した上述のエッチング方法は、ＡＬＥ法の要件を満たすことが確認された。
【００５８】
以下、別の実施形態について説明する。図７は、別の実施形態に係るプラズマエッチング装置を概略的に示す断面図である。図７に示すプラズマエッチング装置１０Ａは、ガス供給系ＧＳに代わるガス供給系ＧＳＡ、及び、制御部Ｃｏｎｔに代わる制御部ＣｏｎｔＡを備えている点において、プラズマエッチング装置１０と異なっている。以下、ガス供給系ＧＳＡ及び制御部ＣｏｎｔＡについて、詳細に説明する。
【００５９】
ガス供給系ＧＳＡは、ガス供給源ＧＳ１０，ＧＳ１２，ＧＳ１４を有している。ガス供給源ＧＳ１０，ＧＳ１２，ＧＳ１４は、導入部２４にガスを供給する。ガス供給源ＧＳ１０は、ガス源９０ａ、バルブ９０ｂ、及びマスフローコントローラ９０ｃを含んでいる。ガス源９０ａは、エッチャントガスの一部を構成するガスのガス源であり、一実施形態では、ＣＨ３Ｆガスのガス源である。ガス源９０ａは、バルブ９０ｂ及びマスフローコントローラ９０ｃを介して導入部２４に接続されている。
【００６０】
ガス供給源ＧＳ１２は、ガス源９２ａ、バルブ９２ｂ、及びマスフローコントローラ９２ｃを含んでいる。ガス源９２ａは、エッチャントガスの他の一部を構成するガスのガス源であり、一実施形態では、Ｏ２ガスのガス源である。ガス源９２ａは、バルブ９２ｂ及びマスフローコントローラ９２ｃを介して導入部２４に接続されている。なお、ガス供給源ＧＳ１０、ガス供給源ＧＳ１２、及び導入部２４は、一実施形態に係る第１の供給部を構成している。
【００６１】
ガス供給源ＧＳ１４は、ガス源９４ａ、バルブ９４ｂ、及びマスフローコントローラ９４ｃを含んでいる。ガス源９４ａは、希ガスのガス源であり、一実施形態では、Ａｒガスのガス源である。ガス源９４ａは、バルブ９４ｂ及びマスフローコントローラ９４ｃを介して導入部２４に接続されている。なお、ガス供給源ＧＳ１４及び導入部２４は、一実施形態に係る第２の供給部を構成している。
【００６２】
制御部ＣｏｎｔＡは、プログラム可能なコンピュータ装置といった制御器であり得る。制御部ＣｏｎｔＡは、マスフローコントローラ９０ｃ，９２ｃ，９４ｃに制御信号を送出して、ガス源９０ａ，９２ａ，９２ｃからのガスの流量を制御することができる。また、制御部ＣｏｎｔＡは、バルブ９０ｂ，９２ｂ，９４ｂに制御信号を送出して、これらバルブの開閉を制御することができる。また、制御部ＣｏｎｔＡは、マイクロ波のパワー、ＲＦバイアスのパワー及びＯＮ／ＯＦＦ、並びに、処理容器１２内の圧力を制御するよう、マイクロ波発生器２８、高周波電源５８、圧力調整器５６ａに制御信号を供給し得る。
【００６３】
また、制御部ＣｏｎｔＡは、ガス供給源ＧＳ１４に希ガスを供給させ、処理容器１２内でプラズマを励起するようマイクロ波発生器２８にマイクロ波を発生させ、プラズマが励起されている期間において、ガス供給源ＧＳ１０及びガス供給源ＧＳ１２から供給されるエッチャントガスの流量を交互に増減させるよう、ガス供給源ＧＳ１４、マイクロ波発生器２８、並びに、ガス供給源ＧＳ１０及びガス供給源ＧＳ１２を制御する。一実施形態においては、制御部ＣｏｎｔＡは、処理容器１２内においてプラズマが励起されている期間において、ガス供給源ＧＳ１０及びガス供給源ＧＳ１４からのエッチャントガスの供給及び供給停止を交互に切り替えるよう、ガス供給源ＧＳ１０及びガス供給源ＧＳ１２を制御する。
【００６４】
以下、図８を参照して、プラズマエッチング装置１０Ａを用いて実施することができるエッチング方法について説明する。図８は、別の実施形態に係るエッチング方法を示すタイミングチャートである。図８において、エッチャントガスの供給がＨｉｇｈレベルであることは、エッチャントガスが処理容器１２内に供給されていることを示しており、エッチャントガスの供給がＬｏｗレベルであることは、エッチャントガスの流量が低減されていることを示している。また、希ガスの供給がＨｉｇｈレベルであることは、希ガスが処理容器１２内に供給されていることを示しており、希ガスの供給がＬｏｗレベルであることは、希ガスの流量が低減されていることを示している。また、マイクロ波パワーがＨｉｇｈレベルであることは、プラズマを励起するマイクロ波が処理容器１２内に供給されていることを示しており、マイクロ波パワーがＬｏｗレベルであることは、マイクロ波のパワーが低減されていることを示している。なお、以下の説明においては、エッチャントガスの供給がＬｏｗレベルであることは、エッチャントガスの供給が停止されているものとし、希ガスの供給がＬｏｗレベルであることは、希ガスの供給が停止されているものとし、マイクロ波パワーがＬｏｗレベルであることは、マイクロ波の供給が停止されているものとする。
【００６５】
図８に示すエッチング方法では、まず、制御部ＣｏｎｔＡの制御により、ガス供給源ＧＳ１４に、希ガスを処理容器１２内に供給させる。本方法では、処理容器１２内に希ガスが供給された後、例えば、時刻ｔ１において、制御部ＣｏｎｔＡの制御により、マイクロ波発生器２８にマイクロ波を発生させる。これにより、処理容器１２内においてプラズマが励起される。なお、図８のタイミングチャートに示す実施形態では、希ガスの供給及びマイクロ波の供給は、時刻ｔ２まで継続する。即ち、処理容器１２内において、時刻ｔ１〜ｔ２の間、プラズマが励起される。
【００６６】
次いで、本方法では、処理容器１２内でプラズマが励起されている期間において、制御部ＣｏｎｔＡの制御により、ガス供給源ＧＳ１０及びガス供給源ＧＳ１２からのエッチャントガスの供給及び供給停止を交互に切り替える。一実施形態では、１回のエッチャントガスの供給とこれに続く１回のエッチャントガスの供給停止とを含むサイクルは６０秒間の時間長を有し、１回のエッチャントガスの供給及び１回のエッチャントガスの供給停止それぞれの時間長は、３０秒であり得る。
【００６７】
本方法では、このようなサイクルを、所定回数実施した後、例えば、時刻ｔ２において、希ガスの供給及びマイクロ波の供給を停止する。これにより、本方法が終了する。
【００６８】
かかるエッチング方法では、上述した１回のサイクルにおけるエッチングレートを低減させ、サイクルの繰り返しによりエッチング量を制御している。このように、本方法は、サイクルの繰り返し回数によりエッチング量を制御できるので、エッチング量の制御性に優れている。
【００６９】
一実施形態においては、本エッチング方法では、エッチャントガスとしてＣＨ３ＦガスとＯ２ガスの混合ガスを用いて、多結晶シリコンと窒化シリコンとを含む被処理基体をエッチングすることができる。この混合ガスをエッチャントガスとして用いることにより、当該被処理基体の窒化シリコンを選択的にエッチングすることが可能となる。
【００７０】
以下、プラズマエッチング装置１０Ａを用いたエッチングの実験例について説明する。
【００７１】
（実験例４及び５）
【００７２】
実験例４では、プラズマエッチング装置１０Ａを用い、直径３００ｍｍの被処理基体Ｗの多結晶シリコン層を被エッチング層としてエッチングした。実験例４の条件は以下の通りである。
・希ガス（Ａｒガス）の流量：１０００ｓｃｃｍ
・マイクロ波パワー：１０００Ｗ
・ＲＦバイアスのパワー：０Ｗ
・エッチャントガス供給時のＣＨ３Ｆガスの供給量：８ｓｃｃｍ
・エッチャントガス供給時のＯ２ガスの供給量：２ｓｃｃｍ
・１サイクルにおけるエッチャントガスの供給時間：３０秒
・１サイクルにおけるエッチャントガスの供給停止時間：３０秒
・サイクルの繰り返し回数：５０回
・ヒータＨＴ及びＨＳの温度：４０℃
・被処理基体の温度：４０℃
【００７３】
実験例５では、プラズマエッチング装置１０Ａを用い、直径３００ｍｍの被処理基体Ｗの窒化シリコン層を被エッチング層としてエッチングした。実験例５の条件は以下の通りである。
・希ガス（Ａｒガス）の流量：１０００ｓｃｃｍ
・マイクロ波パワー：１０００Ｗ
・ＲＦバイアスのパワー：０Ｗ
・エッチャントガス供給時のＣＨ３Ｆガスの供給量：８ｓｃｃｍ
・エッチャントガス供給時のＯ２ガスの供給量：２ｓｃｃｍ
・１サイクルにおけるエッチャントガスの供給時間：３０秒
・１サイクルにおけるエッチャントガスの供給停止時間：３０秒
・サイクルの繰り返し回数：５０回
・ヒータＨＴ及びＨＳの温度：４０℃
・被処理基体の温度：４０℃
【００７４】
実験例４及び実験例５では、被エッチング層のエッチング深さを、４５度間隔で被処理基体Ｗの中心を通過するＸ，Ｖ，Ｙ，Ｗ軸のそれぞれにおいて測定した。そして、測定したエッチング深さから各軸における１サイクルのエッチングレートを算出した。図９の（ａ）は、実験例４において求めたエッチングレートを示しており、図９の（ｂ）は、実験例５において求めたエッチングレートを示している。図９において、横軸は被処理基体の中心からの距離を示しており、縦軸はエッチングレートを示している。
【００７５】
図９の（ａ）に示すように、エッチャントガスとしてＣＨ３ＦガスとＯ２ガスの混合ガスを用いたときの多結晶シリコン層のエッチングレートは、０ｍｍ／ｍｉｎ以下であることが、実験例４から確認された。また、図９の（ｂ）に示すように、エッチャントガスとしてＣＨ３ＦガスとＯ２ガスの混合ガスを用いたときの窒化シリコン層のエッチングレートは、０ｍｍ／ｍｉｎより大きいことが、実験例５から確認された。したがって、ＣＨ３ＦガスとＯ２ガスの混合ガスの供給及び供給停止を交互に切り代えて、窒化シリコンと多結晶シリコンを含む被処理基体をエッチングすることにより、窒化シリコンを選択的にエッチングできることが確認された。
【００７６】
（実験例６及び７）
【００７７】
図９の（ｂ）に示すように、上述した実験例５では、被処理基体の窒化シリコン層のエッチングレートが、被処理基体のエッジに近づくにつれて大きくなっていた。そこで、この原因が、エッチャントガスの供給停止時に処理容器１２の側壁に付着しているエッチャントガスに起因するものではないことを確認するために、実験例６及び実験例７を行った。実験例６及び７では、処理容器１２の側壁の温度を実験例４及び５の側壁の温度より高めてエッチャントガスの側壁への付着を低減させるために、ヒータＨＳの温度を高くした。また、処理容器１２の上部の温度を高めるために、ヒータＨＴの温度も高くした、具体的に、実験例６では、ヒータＨＴ及びＨＳの温度を８０℃に設定した。実験例６における他の条件は実験例４と同一である。また、実験例７では、ヒータＨＴ及びＨＳの温度を８０℃に設定した。実験例７における他の条件は実験例５と同様である。
【００７８】
実験例６及び実験例７においても、被エッチング層のエッチング深さを、４５度間隔で被処理基体Ｗの中心を通過するＸ，Ｖ，Ｙ，Ｗ軸のそれぞれにおいて測定した。そして、測定したエッチング深さから各軸における１サイクルのエッチングレートを算出した。図１０の（ａ）は、実験例６において求めたエッチングレートを示しており、図１０の（ｂ）は、実験例７において求めたエッチングレートを示している。図１０において、横軸は被処理基体の中心からの距離を示しており、縦軸はエッチングレートを示している。
【００７９】
図１０の（ａ）と図９の（ａ）、図１０の（ｂ）と図９の（ｂ）を比較すれば明らかなように、処理容器１２の側壁の温度を高めても、エッチングレートの値及び分布に変化がないことが確認された。即ち、エッジに近づくにつれて窒化シリコン層のエッチングレートが大きくなる原因は、エッチャントガスの供給停止時に処理容器１２の側壁に付着しているエッチャントガスに起因するものではないことが確認された。なお、エッチャントガスの供給量の空間的分布を制御することにより、被処理基体の各位置でのエッチングレートの分布が制御できるものと推測される。
【００８０】
以上、種々の実施形態について説明してきたが、上述した実施形態に限定されることなく種々の変形態様を構成可能である。例えば、図４に示すエッチング方法では、被エッチング層がＳｉＮ層である場合に、Ｃｌ２ガスに代えてＣＦ４ガスをエッチャントガスとして用いることが可能である。
【００８１】
また、エッチャントガス供給量の空間的分布を制御するために、図１及び図７に示すプラズマエッチング装置において、誘電体窓１８の中央部分から被処理基体Ｗに向けて下方にガスを供給してもよい。具体的には、図１１に示すように、図１及び図７に示したプラズマエッチング装置に、中央導入部２２を更に設けもよい。中央導入部２２は、図１１に示すように、配管２２ａ及びインジェクタ２２ｂを含んでいる。配管２２ａは、内側導体１６ｂの内部を通っており、軸線Ｘに沿って延在している。この配管２２ａには、インジェクタ２２ｂが接続されている。インジェクタ２２ｂには、軸線Ｘ方向に延在する複数の貫通孔が形成されている。誘電体窓１８には、インジェクタ２２ｂを収容する空間、及び、当該空間と処理空間Ｓを接続する孔１８ｈが軸線Ｘに沿って設けられている。かかる中央導入部２２は、ガスを、配管２２ａ、インジェクタ２２ｂの複数の貫通孔、及び孔１８ｈを介して、処理空間Ｓの上方から軸線Ｘに沿って処理空間Ｓ内に供給することができる。プラズマエッチング装置１０の場合には、中央導入部２２に、ガス供給系ＧＳと同一の別個のガス供給系を接続してもよく、また、当該中央導入部２２に、ガス供給系ＧＳからのガスをフロースプリッタを介して分岐させてもよい。また、プラズマエッチング装置１０Ａの場合には、中央導入部２２に、ガス供給系ＧＳ１０と同一の別個のガス供給系を接続してもよく、また、当該中央導入部２２に、ガス供給系ＧＳからのガスをフロースプリッタを介して分岐させてもよい。このような構成により、処理容器１２内におけるガスの空間的分布及び／又は組成比を独立して制御することが可能となる。
【符号の説明】
【００８２】
１０，１０Ａ…プラズマエッチング装置、１２…処理容器、１４…アンテナ、１６…同軸導波管、１８…誘電体窓、２０…ステージ、２２…（中央導入部）、２４…導入部（周辺導入部）、２８…マイクロ波発生器、３６…冷却ジャケット、３８…誘電体板、４０…スロット板、５６ａ…圧力調整器、５６ｂ…排気装置、５８…高周波電源、ＧＳ１…ガス供給源（エッチャントガスの供給源）、ＧＳ２…ガス供給源（希ガスの供給源）、ＧＳ１０，ＧＳ１２…ガス供給源（エッチャントガスの供給源）、ＧＳ１４…ガス供給源（希ガスの供給源）。
【図１】
2013235912.tif 000003
【図２】
2013235912.tif 000004
【図３】
2013235912.tif 000005
【図４】
2013235912.tif 000006
【図５】
2013235912.tif 000007
【図６】
2013235912.tif 000008
【図７】
2013235912.tif 000009
【図８】
2013235912.tif 000010
【図９】
2013235912.tif 000011
【図１０】
2013235912.tif 000012
【図１１】
2013235912.tif 000013